(57)【要約】【課題】  簡便にフランジの操作によってボタンを押せなくするようにした小形スイッチを提供する。【解決手段】  小形スイッチのボタン１を押せない状態（ロック時）では、プランジャ２の底面２Ａを４箇所のロータ４の爪４Ａで支え、前記ボタン１を押せる状態（フリー時）にする時には、レバーの操作により、前記ボタン１と前記プランジャ２の凹部２Ｂに前記ロータ４の爪４Ａを逃がす構成とした。【選択図】  図１
2017084710.tif 000002
【特許請求の範囲】
【請求項１】
小形スイッチのボタンを押せない状態（ロック時）では、プランジャの底面を４箇所のロータの爪で支え、前記ボタンを押せる状態（フリー時）にする時には、レバーの操作により前記ボタンと前記プランジャの凹部に前記ロータの爪を逃がす構成としたことを特徴とする小形スイッチ。
【請求項２】
請求項１記載の小形スイッチにおいて、前記小形スイッチにＯリングを実装することを特徴とする小形スイッチ。
【請求項３】
請求項１記載の小形スイッチにおいて、前記ボタンが丸形状であることを特徴とする小形スイッチ。
【請求項４】
請求項１記載の小形スイッチにおいて、前記ボタンが四角形状であることを特徴とする小形スイッチ。
【発明の詳細な説明】
【技術分野】
【０００１】
本発明は、小形スイッチに係り、フランジの操作によってボタンを押せなくする小形スイッチに関するものである。
【背景技術】
【０００２】
従来、小形スイッチを不意に操作することを防止するタイプの小形スイッチには、例えば図１６及び図１７に示すように、カバー１０１の開閉には、単独のネジリコイルばね１０２が配置されていた。そして、カバー２０１に防水機能をもたせるために、例えば図１８〜図２０に示すように、カバー２０１にはＯリング２０２を設ける必要があった。
【０００３】
なお、これらの図において、１０３，２０３はフランジである。
【先行技術文献】
【特許文献】
【０００４】
【特許文献１】特開昭６２−１７７８１５号公報
【特許文献２】実公平６−４３９５５号公報
【発明の概要】
【発明が解決しようとする課題】
【０００５】
しかしながら、上記したように、カバー（パネル）にネジリコイルばね及びＯリングを別個に設けると、カバー（パネル）のようなスイッチ上面に出っ張りが発生し、また、カバー（パネル）はスイッチ操作部の上面にカバーが設けられるため操作面表示の妨げとなり、更に、部品点数が増えると共に、工数が多くなりその分、小形スイッチのコストが嵩むといった問題があった。
【０００６】
本発明は、上記状況に鑑みて、簡便にフランジの操作によってボタンを押せなくするとともに、カバー（パネル）のようなスイッチ上面に出っ張りが発生せず、フラットとなり、また、カバー（パネル）はスイッチ操作部の上面にカバーが設けられないので操作面表示の妨げとならないようにした小形スイッチを提供することを目的とする。
【課題を解決するための手段】
【０００７】
本発明は、上記目的を達成するために、
〔１〕小形スイッチのボタンを押せない状態（ロック時）では、プランジャの底面を４箇所のロータの爪で支え、前記ボタン１を押せる状態（フリー時）にする時には、レバーの操作により前記ボタンと前記プランジャの凹部に前記ロータの爪を逃がす構成としたことを特徴とする。
【０００８】
〔２〕上記〔１〕記載の小形スイッチにおいて、前記小形スイッチにＯリングを実装することを特徴とする。
【０００９】
〔３〕上記〔１〕記載の小形スイッチにおいて、前記ボタンが丸形状であることを特徴とする。
【００１０】
〔４〕上記〔１〕記載の小形スイッチにおいて、前記ボタンが四角形状であることを特徴とする。
【発明の効果】
【００１１】
本発明によれば、簡便にフランジの操作によってボタンを押せなくするようにした小形スイッチを提供することができる。
【図面の簡単な説明】
【００１２】
【図１】本発明の実施例を示すネジリコイルばねを備えた小形スイッチの分解斜視図である。
【図２】本発明の実施例を示す小形スイッチの概観斜視図である。
【図３】本発明の実施例を示す小形スイッチのボタンを押せない状態（ロック時）の断面図である。
【図４】図３の小形スイッチのボタン・プランジャ・ロータを示す図である。
【図５】本発明の実施例を示す小形スイッチのボタンを押せる状態（フリー時）の断面図である。
【図６】図５の小形スイッチのボタン・プランジャ・ロータを示す図である。
【図７】本発明の実施例を示すネジリコイルばねを設けずＯリングを備えた小形スイッチの分解斜視図である。
【図８】図７のＯリングを備えた小形スイッチのボタンを押せない状態（ロック時）の断面図である。
【図９】図７のＯリングを備えた小形スイッチのボタンを押せる状態（フリー時）の断面図である。
【図１０】本発明の実施例を示す四角形状のボタンを備えた小形スイッチの分解斜視図である。
【図１１】本発明の実施例を示す四角形状のボタンを備えた小形スイッチのボタンを押せない状態（ロック時）の平面図である。
【図１２】図１１のＡ−Ａ線断面図である。
【図１３】本発明の実施例を示す四角形状のボタンを備えた小形スイッチのボタンを押せる（フリー時）の斜視図である。
【図１４】本発明の実施例を示す四角形状のボタンを備えた小形スイッチのボタンを押せる（フリー時）の平面図である。
【図１５】図１４のＢ−Ｂ線断面図である。
【図１６】従来のカバーの開閉装置としてネジリコイルばねを有する小形スイッチの斜視図である。
【図１７】従来のカバーの開閉装置としてのネジリコイルばねの配置を示す図である。
【図１８】従来のカバーの防水装置としてＯリングを有する側面図である。
【図１９】従来のカバーの防水装置としてＯリングの配置を示す平面図である。
【図２０】従来のカバーの防水装置としてＯリング単品を示す図である。
【発明を実施するための形態】
【００１３】
本発明の小形スイッチは、小形スイッチのボタンを押せない状態（ロック時）では、プランジャの底面を４箇所のロータの爪で支え、前記ボタンを押せる状態（フリー時）にする時には、レバーの操作により、前記ボタンと前記プランジャの凹部に前記ロータの爪を逃がす構成とした。
【実施例】
【００１４】
以下、本発明の実施の形態について詳細に説明する。
【００１５】
図１は本発明の実施例を示すネジリコイルばねを備えた小形スイッチの分解斜視図、図２はその小形スイッチの概観斜視図、図３はその小形スイッチのボタンを押せない状態（ロック時）の断面図、図４は図３の小形スイッチのボタン・プランジャ・ロータを示す図、図５はその小形スイッチのボタンを押せる状態（フリー時）の断面図、図６は図５の小形スイッチのボタン・プランジャ・ロータを示す図である。
【００１６】
これらの図において、１は丸形状のボタン、２はプランジャ、２Ａはプランジャの底面、２Ｂはボタンとプランジャの凹部、３はレバー、４はロータ、４Ａはロータの爪、４Ｂはネジリコイルばね、５はフランジ下、６は転換子、７はハウジング、８は丸ナットである。
【００１７】
小形スイッチのボタンを押せない状態（ロック時）では、図４及び図５に示すように、プランジャ２の底面２Ａを４箇所のロータ４の爪４Ａで支えるので、小形スイッチのボタンを押せないので不意の操作を防止することができる。なお、この小形スイッチはネジリコイルばね４Ｂを備えているので、ロック状態へ自動復帰する。
【００１８】
図７は本発明の実施例を示すネジリコイルばねを設けずＯリングを備えた小形スイッチの分解斜視図、図８は図７のＯリングを備えた小形スイッチのボタンを押せない状態（ロック時）の断面図、図９は図７のＯリングを備えた小形スイッチのボタンを押せる状態（フリー時）の断面図である。
【００１９】
そこで、小形スイッチのボタンを押せる状態（フリー時）にする時には、図７に示すように、レバーの回転操作により、ボタン１とプランジャ２の凹部２Ｂにロータ４の爪４Ａを逃がす。すると小形スイッチのボタンを押せる状態（フリー時）にすることができる。なお、この小形スイッチでは、ネジリコイルばねは設けられておらず、その代りに防水用Ｏリング９が配置されており、自動復帰しない代りにロック／フリーが保持される。
【００２０】
この実施例では、新たにＯリング（防水用）９を備えることによって、小形スイッチの防水機能を向上させることができる。
【００２１】
図１０は本発明の四角形状のボタンを備えた小形スイッチの分解斜視図、図１１はその小形スイッチのボタンを押せない状態（ロック時）の平面図、図１２は図１１のＡ−Ａ線断面図、図１３は本発明の四角形状のボタンを備えた小形スイッチの斜視図、図１４はその小形スイッチのボタンを押せる状態（フリー時）の平面図、図１５は図１４のＢ−Ｂ断面図である。
【００２２】
これらの図において、２１は四角形状のボタン、２２はロック用レバー、２３はプランジャ、２３Ａはプランジャの底面、２３Ｂはボタンとプランジャの凹部、２４Ａはロータのの爪、２５はコイルばねである。
【００２３】
この実施例では、ロック用レバー２２の水平方向のプッシュ・プル動作により、四角形状のボタン２１のロックと解錠を行うことができる。すなわち、小形スイッチのボタンを押せない状態（ロック時）では、図１２に示すように、プランジャの底面２３Ａを４箇所のロータの爪２４Ａで支える。一方、ボタンを押せる状態（フリー時）にする時には、ロック用レバー２２の操作により、図１５に示すように、ボタンとプランジャの凹部２３Ｂにロータの爪２４Ａを逃がすように構成する。
【００２４】
なお、本発明は上記実施例に限定されるものではなく、本発明の趣旨に基づき種々の変形が可能であり、これらを本発明の範囲から排除するものではない。
【産業上の利用可能性】
【００２５】
本発明の小形スイッチは。簡便にフランジの操作によってボタンを押せなくするようにした小形スイッチとして利用することができる。
【符号の説明】
【００２６】
１  丸形状のボタン
２，２３  プランジャ
２Ａ，２３Ａ  プランジャの底面
２Ｂ，２３Ｂ  ボタンとプランジャの凹部
３  レバー
４  ロータ
４Ａ，２４Ａ  ロータの爪
４Ｂ  ネジリコイルばね
５  フランジ下
６  転換子
７  ハウジング
８  丸ナット
９  Ｏリング
２１    四角形状のボタン
２２  ロック用レバー
２５  コイルばね
【図１】
2017084710.tif 000003
【図２】
2017084710.tif 000004
【図３】
2017084710.tif 000005
【図４】
2017084710.tif 000006
【図５】
2017084710.tif 000007
【図６】
2017084710.tif 000008
【図７】
2017084710.tif 000009
【図８】
2017084710.tif 000010
【図９】
2017084710.tif 000011
【図１０】
2017084710.tif 000012
【図１１】
2017084710.tif 000013
【図１２】
2017084710.tif 000014
【図１３】
2017084710.tif 000015
【図１４】
2017084710.tif 000016
【図１５】
2017084710.tif 000017
【図１６】
2017084710.tif 000018
【図１７】
2017084710.tif 000019
【図１８】
2017084710.tif 000020
【図１９】
2017084710.tif 000021
【図２０】
2017084710.tif 000022